(57)【要約】【課題】フィルタ製の袋本体の前後の面部に止着する支持体を前後方向に引き出す作業に伴わせて開口部を開放するに当って該開口部の急激な開放を抑制し、被抽出物の飛び出しを防止するようにした簡易型濾過器を提供する。【解決手段】袋本体２の面部２ａ，２ｂに止着する支持体３，３の引っ張りによって開口部７を開放するようにした簡易型濾過器にあって、上記開口部７の中央部分を脆弱な接合部１７ａとし、この脆弱な接合部１７ａを挟む左右の部分を強固な接合部１７ｂ，１７ｂにして、前記支持体３，３が止着する中央部分に開封時の引っ張り力が働いたとき、該中央部分の脆弱な接合部１７ｂが先に開封を開始し、その後前記強固な接合部１７ａに開封を波及させて前記開口部７の封止状態を部分から全体に順次進行させ、同時開封を防止して開封時の被抽出物の飛び出しを防止する。【選択図】図１
2015205055.tif 000002
【特許請求の範囲】
【請求項１】
接面状にたたむことが可能な前後両面部の上縁部間に注湯口となる開口部を設けるフィルタ製の袋本体と、前記前後の面部の表面に貼り付け固定してカップ容器の開口縁部に掛け止めることにより前記袋本体を支持するシート製の支持体とを有し、前記袋本体は前後の面部の両側部に内側に折り込む拡張襞部を備え、他方前記支持体は前記袋本体の前記開口部に臨む前後の面部の上縁部中央部分に上端部を、また下端部を前記袋本体の胴部の中央部分にそれぞれ貼付け固定して前後の面部の中央部に沿って縦に配置される架橋片と、該架橋片の長さの中間部分の両側縁部から上向きに延設される吊設片と、該吊設片の自由上端部からこれの外側縁部に沿って折り返し状に下向きに延設される掛け止め係止片とから構成して、未使用時には前記支持体を構成する前記各片を平面状に揃えて前記袋本体の前後の面部にそれぞれ寄り添わせる一方、使用時には前記掛け止め係止片を前記前後の面部から引き離し方向に引き出し、この作業に伴わせて前記吊設片を引き出し、同時にこれに連結する前記架橋片の中間部分を引き起こしてこの操作により該架橋片の上下両端部を介して前記袋本体の前後の面部の上縁部中央部分と胴部の中央部分を前後引き離し方向に引き出して前記袋本体の開口部を開口させると同時に、該袋本体部の胴部を前後に拡張するようにしたコーヒー等の簡易型濾過器において、
前記袋本体は、前記前後の面部の上縁部間を前記開口部の開口幅方向に沿って前記架橋片の上端部が固定される中央部分に対しては脆弱な接合部となるように、また該中央部分を挟む左右の部分については強固な接合部となるように前後の面部同士を接合に強弱の差を付けて剥離可能に接合し、この接合部の形成によって前記開口部を封止して該袋本体内部に被抽出物を封入するようにしてなるコーヒー等の簡易型濾過器。
【請求項２】
請求項１に記載のコーヒー等の簡易型濾過器において、前記袋本体は前記開口部の左右の側縁部に前記拡張襞部を折り込んで重ね合せにし、この重ね合せ部を強固な接合部とする一方、該重ね合せ部を避けた中央部分を脆弱な接合部として前記開口部を剥離可能に接合し、封止することを特徴としたコーヒー等の簡易型濾過器。
【請求項３】
請求項１に記載のコーヒー等の簡易型濾過器において、前記支持体の架橋片の上端部には前記袋本体の前後の面部の上縁部に沿って略全幅に亘って上部固定片を延設し、これを前記上縁部に一体に固着すると共に、該上部固定片によって前記袋本体の開口部を剥離可能に封止する接合部に沿わせて被うように併設してなることを特徴としたコーヒー等の簡易型濾過器。
【請求項４】
請求項１乃至３のいずれかの請求項に記載のコーヒー等の簡易型濾過器において、前記袋本体の前後の面部の上縁部間を封止する強弱の接合部は、一直線状に配置されることを特徴としたコーヒー等の簡易型濾過器。
【請求項５】
請求項４に記載のコーヒー等の簡易型濾過器において、前記強弱の接合部は一直線状に沿って不連続に配置されることを特徴としたコーヒー等の簡易型濾過器。
【請求項６】
請求項４に記載のコーヒー等の簡易型濾過器において、前記強弱の接合部は一直線状に沿って連続して配置されることを特徴としたコーヒー等の簡易型濾過器。
【発明の詳細な説明】
【技術分野】
【０００１】
本発明は、使い捨てに係るコーヒー等の簡易型濾過器に関する。
【背景技術】
【０００２】
一回使用による所謂使い捨て型の簡易型濾過器は、主にレギュラーコーヒーを抽出する濾過器として広く普及しており、現在各種様々な形態のものが提案され、実用化されている。
この簡易型濾過器（以下、「濾過器」という。）は、基本的な構造としてフィルタ製の袋、通常は不織布、プラスチック製乃至紙製のフィルタを素材にした袋本体と、この袋本体をコーヒーカップ等の容器に取付けて支持する通常厚紙を素材にして成形される支持体から作られている。例えば、コーヒー用の濾過器とされるものにおいては、フィルタ製の袋本体に予め所要量のコーヒー粉末（被抽出物）を封入し、使用に際して先ず袋本体の上部を切り取る等して開封し、この状態で上記支持体を使ってコーヒーカップ等の容器の縁に掛け止めて固定し、セットするものとしている。この様にしてセットした後、前記開放した袋本体の開口部から湯を注ぎ込んで袋の内部でコーヒー成分を抽出し、抽出したコーヒー液（抽出液）を袋本体で濾過しながら容器に受けてそのまゝ飲料することができるものになっている。
【０００３】
この濾過器は、上述のようにコーヒーの濾過器として使用する場合、湯を注ぐことで簡単にレギュラーコーヒーを得られることや、袋に封入するコーヒー粉末の量が予め決められていることでコーヒー液の濃度が略一定に決められ、更には使用後の後始末において袋にコーヒー粉末を残したまゝ濾過器そのものを廃棄処理することができること、等の簡便さからコーヒーの愛飲家の間に広く利用されるようになっている。
【０００４】
この濾過器は、袋本体と支持体からなり、構造的にシンプルなものになっているが、使い捨てであることによって更なる材料の節約が求められるものになっている。その中で、一定の強度を出し、更には安全な使用を可能にするため、また安定的で効率的な抽出効果が得られるように更なる改良、提案がなされている。
【０００５】
現在、最も簡略化したものの１つにフィルタ製の袋本体の前後の面に支持体を直接貼着し、この前後の支持体によって袋本体をカップ容器に支持する構造の濾過器が提案され、広く実用化が図られている。例えば、後述する特許文献１に記載の濾過器や特許文献２に記載される濾過器の例がそれである。
【０００６】
支持体を袋本体に直接止着して形成する上記特許文献１，２に記載の従来の濾過器は、使用に当って袋本体の上端部分を切り取る等して先ず開封し、ここに開口部を形成した後、次に容器に対するセットに備えて前後の支持体を前後方向に引き伸ばして容器の口径に合わせ、この状態で支持体に備える係止片を容器の縁に掛け止めてセットするものになっている。
【０００７】
この従来型の濾過器は、いずれも袋本体の前後の面に備える支持体（掛止部材、支持シート）をその先端部に設ける係止片（掛け止め係止片）を引き出してカップの縁に掛け止めることによってセットできるようにしたもので、この引き伸ばし作業に先立って予め開封して置いた袋本体の開口部を上記引き伸ばしを利用して広く開口させ、これを維持するようにしたもので、簡単な構造の中において、カップに対するセットを可能にし、この状態で湯の注ぎ込みを可能にしてこのまま使用できる簡便さを備えている。
【０００８】
しかし、この既提案に係る従来型の濾過器は、その使用に当たって構造上支持体を引き伸ばすことによってカップにセット装着することができる構造になっていることから、使用者は支持体を引き伸ばせば、そのまま直ちにセットすることが可能になるものと錯覚して袋本体の開封操作をすることなく、開封することを期待してただ単に支持体を強く引っ張り出し、支持体を損傷してしまうと言った問題があったのである。
【０００９】
この濾過器は、支持体の引き伸ばしだけではなく、前述したようにその前処理として別に開封作業によって袋本体を予め開封して置く必要があり、開封した後でなければセットに持ち込めないものになっているが、それにも拘らず、この作業を省いてセットに持ち込んでしまうことが多々あったのである。
【００１０】
ことに、この濾過器の場合、使用に当たって支持体の構造からこれを引き伸ばせば自動的に袋本体を開封できるものと直感させるものがあることから、この誤解により支持体をその構造の限界を超えて無理に引き伸ばしてしまうことがあったのである。そのため、厚紙等で作られる支持体を引き千切ってしまうと言うこと、つまり、結果的に毀損して使用不能にしてしまうことがあったのである。
【００１１】
勿論、開口部を予め開放した状態にして開封作業を要しない濾過器もあるが、現在では予めコーヒー等の被抽出物を内包させたタイプの濾過器が広く普及していることから、ことにコーヒー粉末の零れ出しを防ぐ上から袋本体の開口部を封止して置くのが普通になっている。
従って、この様な場合には、当然のことながらカップに対するセット作業に先立って開封作業が先行して行われなければならないが、それにも拘わらず上述した様に直接支持体を引き出す作業から始めてカップに対するセット作業に入ってしまうことがある。この結果、袋本体が開封、拡張しないまま支持体だけが引き出されることになることから素材の限界を超えて無理な力が支持体に作用し、結果的に破損すると言った問題が発生したのである。
【００１２】
そこで、本出願人は、上述の状況に鑑み、上記問題を解決するため、濾過器をセットするための支持体の引き伸ばしに併せて、同時に封止された袋本体の開口部を開封できるようにした濾過器の開発に臨み、その結果、支持体の引き伸ばし作業に伴わせて開封作業が同時にできるようにして迅速なセット作業を可能にすると同時に、支持体を破損することなく袋本体の開封を可能にした濾過器の開発に成功したのである。特許文献３に記載の濾過器がそれである。
【先行技術文献】
【特許文献】
【００１３】
【特許文献１】特開２００４−２３０１４３号公報。
【特許文献２】特開２０１０−１１０３３５号公報。
【特許文献３】特開２０１２−１７９２６５号公報。
【００１４】
上記特許文献３に記載の濾過器は、フィルタ製の袋本体２の前後の面部２ａ，２ｂに止着される支持体３，３について、カップ４の縁に掛け止める係止片１０，１０をこれに連結する吊設片９，９が前記面部２ａ，２ｂに対して上下の端部８ａ，８ｂを接着してその中間部分８ｃ，８ｃを非接着とする架橋片８，８の当該中間部分８ｃ，８ｃに接続させるとしたものである。これにより前記前後の係止片１０，１０を引き出したとき、この引き出しにより前記吊設片９，９を引き出すことに併せて、同時にこれに接続する前記架橋片８，８の中間部分８ｃ，８ｃを持ち上げるようにして、該架橋片の上端部８ａ，８ａで袋本体２の上縁部を引っ張り、この引張によって開口部７を強制的に開口させるものとしたのである。そして、これと同時に、上記架橋片８，８の下端部８ｂ，８ｂで袋本体２の胴部１８の中央部分を前後に引っ張り、袋の内部を拡張させてコーヒーカップ４等の容器に対するセットに備えられるようにしたものとなっている。
【００１５】
この特許文献３に記載の濾過器は、支持体を引き出すことに連動して袋本体の開口部の接合を剥がして開口させる構造にしてあることから、セットのための支持体の引き伸ばし作業と袋本体の開口部の開封作業とを同時に行うことができるものとなっており、このため、使用に際しての作業を迅速に行うことができると同時に、何よりも支持体の引き伸ばしに連動して袋本体の開口部の開封を行うことができるので前記従来の濾過器（前記特許文献１，２に記載の濾過器。）におけるような無理な支持体の引き出しがなくなり、従って、これによる支持体の破損を未然に解消することができるものとなっている。    
【００１６】
しかし、この特許文献３の濾過器における一つの問題は、支持体の引き出しに連動して袋本体の開口部が同時に開封されることから、時として急激な開放により袋本体内部に封入された被抽出物（コーヒー粉末）が開口部から飛び出すことがあることである。
通常の使用においては、濾過器全体が簡素に形成されていることから丁寧に支持体を引き出して開封作業が行われるが、時には、例えば、開口部を封止する接合部の剥離が円滑にいかない時があり、この時、引き伸ばしに伴って支持体の弾性復元力が高まり、この高まり状態が続く中で接合部が一遍に剥離して開口部が急激に開放すると、この急激な開放によって袋本体の底部が跳ね上がってコーヒー粉末を開放した開口部から押し出すことがあったのである。
また、この時同時に、開口部の急激な開放に伴って空気が袋本体の内部に急激に侵入することが起こることから、この空気の侵入によってコーヒー粉末が撒き上げられ、開放された開口部から吹き出すと言った問題があったのてある。
【００１７】
この急激な開口部の開封は、この濾過機において開封を支持体の引っ張りを利用して行うことによるもので、支持体は引っ張られることによって扁平に畳まれた状態から各片を引き起こして伸びだし、この時それぞれの片は反り返って弾性反発力を次第に蓄えるため、強く引き出されたときには強く緊張することになり、この状態において開口部の開封が始まると一気に開封することになり、袋の底部を跳ね上げたり、急激な空気の侵入を招来したりすることになるのである。
【００１８】
このコーヒー粉末の飛び出しは、濾過器の使用を不能にするものではないが、周囲を汚すことになることは勿論のこと、何よりも所定の濃度を確保するため一定量のコーヒー粉末を封入しているのに対して、このコーヒー粉末の飛び出しはその容量を減らすことになり、結果的にコーヒーの抽出濃度を下げることになる。従って、この零れ出しを解消することは、提供する商品の信頼性を高める上からもその改善が強く求められるものとなる。
【発明の概要】
【発明が解決しようとする課題】
【００１９】
従って、本発明の目的は、上述したことから支持体を前後方向に引き出すことによって袋本体の開口部をこれを封止する接合部を剥離して開放する構造の濾過器において、開封時の急激な開封動作を適正に制御し、これにより袋本体底部の跳ね上がりや袋内部への急激な空気の流入を防止してコーヒー粉末等被抽出物の飛び出しを防止するように改善することにある。
【００２０】
前記特許文献１，２にも開示される様に、使用において袋本体の前後の面部に止着固定する前後の支持体を前後方向に引き伸ばしてカップの縁に掛け止める構造の濾過器は、支持体を扁平に畳んだ状態から引き延ばす際、厚紙などの素材の弾性を利用しながら伸張させるようにしている。このため、引き伸ばしに伴って支持体には復元力が蓄積するものとなることは前述した通りである。
【００２１】
この中で、前記特許文献３に係る濾過器は、袋本体の開口部を開封する際、この支持体に蓄積される復元力を引き伸ばし動作に併せて利用するものとなっており、これの合成によって開口部の接合を剥離し、開封するものになっている。従って、開封時には常にこの復元力が支持体に蓄積されるものとなっているのである。
このため、上記接合部が剥離するとき、大なり小なりこの復元力の開放による衝撃を受けることになり、被抽出物は袋本体の内部で暴れることになるが、接合部が大きな復元力が蓄積されない段階で円滑に剥離し、開口部の開封を促すことになれば、開封時の衝撃の発生は回避されることになり、被抽出物の飛び出しは未然に防止されることになる。
【００２２】
本出願人は、この事に注目して、袋本体の開口部を開封するに当たってこれを封止する接合部を円滑に、しかも最も被抽出物の飛び出しを抑えることのできる位置からの剥離を誘導することによって開口部を安定的に開封できることを突き止め、目的とする開発に成功したのである。
【課題を解決するための手段】
【００２３】
本発明は、上記目的を達成するため、袋本体の前後の面部に止着する前後の支持体を引き出し、これを引き伸ばすことによって袋本体の開口部を開封する構造の簡易型濾過器において、上記開口部を封止する接合部をこの開口部の幅方向に沿って略全幅に亘って設けると共に、この接合部の中に接合の強さに強弱差を付ける強固な接合部と脆弱な接合部とを設けて支持体による引っ張りを受けたとき、上記脆弱な接合部から剥離を開始して強固な接合部へと剥離を進行させ、これにより開口部を一部分から徐々に開放させるようにして開口部全体が一度に開封するのを回避し、急激な開放による被抽出物の飛び出しを防止するようにしたのである。
【００２４】
本発明を更に詳述すると、接面状にたたむことが可能な前後両面部の上縁部間に注湯口となる開口部を設けるフィルタ製の袋本体と、前記前後の面部の表面に貼り付け固定してカップ容器の開口縁部に掛け止めることにより前記袋本体を支持するシート製の支持体とを有し、前記袋本体は前後の面部の両側部に内側に折り込む拡張襞部を備え、他方前記支持体は前記袋本体の前記開口部に臨む前後の面部の上縁部中央部分に上端部を、また下端部を前記袋本体の胴部の中央部分にそれぞれ貼付け固定して前後の面部の中央部に沿って縦に配置される架橋片と、該架橋片の長さの中間部分の両側縁部から上向きに延設される吊設片と、該吊設片の自由上端部からこれの外側縁部に沿って折り返し状に下向きに延設される掛け止め係止片とから構成して、未使用時には前記支持体を構成する前記各片を平面状に揃えて前記袋本体の前後の面部にそれぞれ寄り添わせる一方、使用時には前記掛け止め係止片を前記前後の面部から引き離し方向に引き出し、この作業に伴わせて前記吊設片を引き出し、同時にこれに連結する前記架橋片の中間部分を引き起こしてこの操作により該架橋片の上下両端部を介して前記袋本体の前後の面部の上縁部中央部分と胴部の中央部分を前後引き離し方向に引き出して前記袋本体の開口部を開口させると同時に、該袋本体部の胴部を前後に拡張するようにしたコーヒー等の簡易型濾過器において、前記袋本体は、前記前後の面部の上縁部間を前記開口部の開口幅方向に沿って前記架橋片の上端部が固定される中央部分に対しては脆弱な接合部となるように、また該中央部分を挟む左右の部分については強固な接合部となるように前後の面部同士を接合に強弱の差を付けて剥離可能に接合し、この接合部の形成によって前記開口部を封止して該袋本体内部に被抽出物を封入するようにしてなるコーヒー等の簡易型濾過器を提供するものである。
【００２５】
この発明を要約すれば、前記袋本体の上部に形成される開口部に臨む前後の面部の上縁部に沿って接合部を形成するに当り、該接合部を上記上縁部の中央部分において剥離し易い脆弱な接合部に、またこの中央部分を外れる左右の部分において剥離し難い強固な接合部に形成して、これらの間において接合の強度に差を付けて剥離可能に接合止着せしめ、この接合によって袋本体の内部に被抽出物を封入するようにした簡易型濾過器を提供するものである。
【００２６】
上記構成から本発明においては、前記支持体の引き出しによって前記架橋片が引き出されることになると、先ずその上端部が引っ張られることになり、これに伴ってその上端部が止着する前記袋本体の前後の面部の上縁部中央部分に上記引っ張りの力が作用することになる。このため、この上縁部中央部分において前記脆弱に接合した接合部分に上記引っ張りの力が作用することになり、この部分の脆弱な接合状態が利用されて簡単に剥離し、ここから開口部の開封が開始することになる。
【００２７】
この脆弱な接合部分からの剥離は、支持体の更なる引っ張りによって当該部分の開口幅を前後に拡張させることになり、更にこの拡張はこの脆弱な接合部分に隣接する前記強固な接合部の一端部に波及して当該部分の剥離を開始させると共に、その全体に及んで最終的に開口部の接合部全体を剥離し、開口部の開放を果たすことになる。
【００２８】
この時、支持体の引っ張りは、架橋片の上端部を介して直接前記脆弱な接合部に集中することから、当該接合部の全体を一気に引き剥がすことになるが、この引き剥がしの範囲は、この部分に限られ、限定的であり、これに加えて当該部分が剥離し易い状態にあることから引き剥しが容易に進行し、ここに開封の切っ掛けを作ることになる。
この様にして、切っ掛けが作られた後、引っ張りが続くことによって、次にこの脆弱な接合部の剥離を契機にして強固に接合する部分へと剥離が進行し、この部分を引き剥がして開口部の全体を開封することになる。
つまり、ここにおける開封の操作は、段階的に徐々に開封を進めることによって急激な開封を抑え、最終的に開口部の全体を開放するものとなっているのである。
【００２９】
この様にして開封される開口部は、段階を踏んで徐々に開封が進行して最終的に全体が開封されるため、支持体の引っ張りを受けたとき、一遍に開封することがなくなり、この結果、開封時の衝撃を発することがなくなり、袋本体の底部を跳ね上げたり、また急激な空気の取り込みによる被抽出物の巻き上げを起こして開口部から被抽出物を撒き散らすと言った問題を未然に防止することになるのである。
【００３０】
また、本発明は、上記記載のコーヒー等の簡易型濾過器において、前記袋本体は前記開口部の左右の側縁部に前記拡張襞部を折り込んで重ね合せにし、この重ね合せ部を強固な接合部とする一方、該重ね合せ部を避けた中央部分を脆弱な接合部として前記開口部を剥離可能に接合し、封止することを特徴としたコーヒー等の簡易型濾過器を提供するものである。
【００３１】
この発明は、袋本体の開口部に当該袋本体部の左右側縁部に設ける拡張襞部を折り込んで重ね合せ部を形成し、この重ね合せにした拡張襞部を接面状に接合することによってここに強固な接合部を形成するようにしたものである。
例えば、袋本体の前後の面部を前後から押し潰して過熱圧着し、この圧着力を利用して接合する場合、前後の面部同士が接合する開口部の中央部分より前記拡張襞部の重なり部分が強く接合することになることから自動的に開口部の中央部分が脆弱な接合部を形成することになる。従って、接合部に折り畳まれた拡張襞部を組み入れ、接合するようにすると、確実に強弱差を付けた接合部を形成することができることになる。
【００３２】
また、本発明は、前記記載のコーヒー等の簡易型濾過器において、前記支持体の架橋片の上端部には前記袋本体の前後の面部の上縁部に沿って略全幅に亘って上部固定片を延設し、これを前記上縁部に一体に固着すると共に、該上部固定片によって前記袋本体の開口部を剥離可能に封止する接合部に沿わせて被うように併設してなることを特徴としたコーヒー等の簡易型濾過器を提供することにある。
【００３３】
この発明は、架橋片の上端部より延設する上部固定片を袋本体の前後の面部の上縁部に沿ってその略全幅に亘って止着固定するものである。これによって上記架橋片の上端部に作用する支持体の引っ張り力が、この上端部が取り付く上記前後の面部の中央部分からこの上部固定片を介して左右の部分に伝達されるものとしたのである。この結果、前記脆弱な接合部から開始される接合部の剥離がこの上部固定片の引っ張り誘導によって左右の強固な接合部に及び、この部分を剥離することになり、開口部の全体を順次円滑に開封することになる。
【００３４】
また、本発明は、前記記載のコーヒー等の簡易型濾過器において、前記袋本体の前後の面部の上縁部間を封止する強弱の接合部は、一直線状に配置されることを特徴としたコーヒー等の簡易型濾過器を提供することにある。
【００３５】
この発明は、袋本体の開口部を閉ざす接合部を一直線上に並べて設けるものとしたもので、前後の面部の中央部分に止着される架橋片の引き出しを受けて前記脆弱な接合部の剥離が開始されたとき、これに一線状に並び、隣接した状態で強固な接合部が設けられると、剥離が連続するものとなり、接合部全体が円滑に開封されることになる。このため、開封動作の中で脆弱な接合部から強固な接合部に移行する際、落差を少なくして開封時における、ことに開封進行時における衝撃を小さく抑えることができる。  
【００３６】
また、本発明は、前記記載のコーヒー等の簡易型濾過器において、前記強弱の接合部は一直線状に沿って不連続に、若しくは連続して配置されるコーヒー等の簡易型濾過器を提供することにある。
【００３７】
この発明は、開口部を閉ざす接合部について、全体を一直線状に沿って設ける一方、ここに設けられる強弱の接合部を、それぞれ不連続状態に、つまり飛び飛びに設ける場合、もしくは一連に連続して設ける場合とがあることを示したものである。不連続の場合でも充分開口部の封止効果を挙げることは可能であり、開封時には飛び飛びに接合されることから全体の剥離性を良好にして円滑に開封できることになる。
【００３８】
さて、前記フィルタを素材にして成形される袋本体には、この種濾過器において一般的に使用される不織布、紙製乃至プラスチック製のフィルタ等の使用が可能であるが、このフィルタについては、この外に、被抽出物に合わせて、また透過率を考慮する等して適宜選択することになる。
【００３９】
一方、支持体については、所要の剛性及び弾性を有するシート状物、例えば厚紙等が適しており、その成形に当っては、それぞれの片の形状に合せて打ち抜きによって片同士が連続した状態で形成するようにすると製造効率を挙げることができる。
尚、この支持体は、各片の形状並びに構成を異にしているので、成形の方法としては前記各特許文献に示される支持体、支持シートの作成方法（図面に開示される形態から想像して）と同様に一枚のシートから打ち抜き、切り出す方法が有利である。
【００４０】
さて、本発明の濾過器の使用に当っては、支持体の掛け止め係止片を指で摘み出すことから始めることになる。
掛け止め係止片の引き出しによって、これに接続する吊設片の上端部が引き出され、更に吊設片の下端部が接続する前記架橋片の中間部分が引き出されることになる。そして、この引き出しによって架橋片の中間部分が浮き上り状態を作り、これによってその上端部を引き出すことになり、これに止着される袋本体の上縁部が引っ張られることになる。このため、袋本体の開口部は、この引っ張りを直接的に受けることになり、強制的に開放されることになる。
【００４１】
この開口部の開放に当たって、上記架橋片の引っ張りを受けると、その上端部が止着する袋本体の前後の面部の上縁部の中央部分が前後引き離し方向に引っ張られることになる。このため、先ずこの部分の接合部、つまり脆弱な接合部に引っ張り力が集中して作用し、これを簡単に引き剥がして、ここに部分的な開封を果たすことになる。そして、更に支持体の引っ張りが続くことにより上記脆弱な接合部が開封した後に続いて、この引っ張りがその左右の強固な接合部に波及してこの接合を引き剥がし、これによって順次開口幅を広げて最終的に開口部を全開させることになるのである。
【００４２】
この開口部の開放、つまり開封の作業では、架橋片の引き出しによる引っ張り力をその上端部を介して前後の面部の中央部分に作用させることになり、ここに脆弱な接合部が位置することによって簡単に接合の剥離が開始されることになる。そして、この剥離の開始によってこれに隣接して設けられる強固な接合部が上記剥離した部分に臨む一端から剥離を開始して該強固な接合部を剥離し、この結果、開口部全体の開封を完成させることになるのである。
【００４３】
尚、この開封作業においては、上記中央部分の脆弱な接合部の剥離による開封は、次の強固な接合部の剥離を誘導するものとなり、最初は容易な剥離によってその開始を円滑なものとし、そして、この剥離を契機に次の強固な接合部の剥離を誘導してその一端部から剥離を進行させ、これによって全体を開放するもので、極めて衝撃の少ない円滑な開封作業が実現することになる。
【００４４】
次に、この様にして前後の支持体を引き出し、この開封作業を行った後、使用するカップ容器の口径に適合する状態になったところで各支持体の係止片を容器の縁に掛け止めて本発明濾過器のセットを完了することになる。
上記係止片の掛け止めによって濾過器は安定した状態での使用が可能になる。そして、その後上記支持体の引き出しによって開口した開口部に湯を注ぎ込むことによってコーヒー液を抽出し、これを容器内に溜めてそのまま飲料することがでることになる。
【発明の効果】
【００４５】
本発明濾過器は、上述の如く構成されるもので、支持体の引き出しによる袋本体の開封時に、この開口部を封止する接合部を強い衝撃を与えることなく円滑に開封することができることから、従来この種支持体の引っ張りによって袋本体の開口部を開放するようにした濾過器において問題となった急激に開放によって発生した被抽出物の飛び出し、飛散を未然に防止することができる。
【００４６】
勿論、本発明濾過器は、上記支持体の引き出しによって袋本体の開口部の開放を果たすと共に、この引き出しによってカップ容器の口径に係止片を合わせられることから、開封作業とセット作業とを同時に行うことができもので便利に、且つ迅速に使用できる利点がある。
【図面の簡単な説明】
【００４７】
【図１】本発明に係る簡易型濾過器の正面図である。
【図２】袋本体と、固定片を有した支持体とを分離した状態で示した正面図である。
【図３】使用に備えて支持体を引き出すと共に、この引き出しに伴わせて袋本体の開口部を開封した状態を示す斜視図である。
【図４】図１のＡ−Ａ線に沿って断面とした支持体を引き出した時の伸び出し状態を説明する拡大縦断面図である。
【図５】本発明に係る簡易型濾過器をカップ容器に掛止めた使用状態を説明する斜視図である。
【図６】袋本体に対する支持体の固定片における上下部の固定片、並びに補強片の止着位置を説明する正面図である。
【図７】袋本体の開口部を封止する接合部を示すため部分を拡大した拡大平面図である。
【図８】図７に示す袋本体の開口部の接合部を剥離し、開封するために支持体を前後方向に引き出した開封途中における拡大平面図である。
【図９】図８に示す袋本体の開口部を封止する接合部を剥離し、開封するため支持体を前後方向に引き出して上記接合部の全体を剥離した状態を説明する拡大平面図である。
【発明を実施するための形態】
【００４８】
添付する図面は、本発明に係る簡易型濾過器をコーヒーの濾過器として実施した一実施形態を示したものである。以下、図面に示す実施の形態に基づき本発明を説明し、その特徴を明らかにする。
図面において、符号１は本発明に係るコーヒーの簡易型濾過器であり、２はこの濾過器１の袋本体であり、３，３は使用時に袋本体２を容器となるコーヒーカップ４の縁に掛け止めて支持する支持体である。
【００４９】
袋本体２は、合成樹脂の不織布からなるフィルタを素材にして袋状に形成してあり、ここでは縦長長方形状のフィルタ片を長さの中間で二つ折りにして前後の面部２ａ，２ｂを形成し、この前後の面部２ａ，２ｂの左右の側縁部を接面状に添わせて接着すると共に、この接着した縁部をそれぞれ内側に折り込んで前後の面部２ａ，２ｂの間に拡張襞部５，５を設けている。
この袋本体２は、上記襞部５，５を利用して袋本体全体を偏平状に折りたゝむことができるようにする一方、拡張できるようにしてあり、前後の面部２ａ，２ｂの上縁部６，６間には開口部７を形成している。
【００５０】
前記袋本体２を形成するフィルタは、ここではヒートシールが可能な合成樹脂製フィルタを使用している。更に言えば、このフィルタは、高周波等による接合手段を用いて接着することに対応させてフィルタの一方の面（内面側の面）を強接着性に、他方の面（外面側の面）を弱接着性にして互いに接着力を異にした二層構造のフィルタを選択しており、前後の面部２ａ，２ｂにおいて袋本体２の内側に上記強接着性のフィルタ層を、外側に弱接着性のフィルタ層を向けるようにして袋本体２を形成している。
【００５１】
上記フィルタについて、更に言えば、内面側になる強接着性のフィルタ層にはポリプロピレンを材料とした層を配置し、外面側の弱接着性のフィルタ層にはポリエステルを材料とした層を配置して両層を一体にした二層構造のものを使用している。
【００５２】
尚、ここには図示していないが、当該実施の形態では上記前後の面部２ａ，２ｂの上縁部６，６を互いに内側に折り返して補強重合部分を開口部７の内周に沿って形成し、これにより後述する接合部を形成する際に外面側の接着性の弱いフィルタ層同士が向い合せになるようにして接合し、前記開口部７が容易に開封できるよう封止するようにしている。
【００５３】
一方、前記支持体３は、所要剛性を有したやゝ厚手の板紙を素材にして、この厚紙を切抜くことで形成するようにしている。
ここでは、図１、図２に示したように略方形の板紙切り抜いて支持体３の全体を一度に形成するようにしており、この中で、支持体３は、袋本体２の前後の面部２ａ，２ｂの中に納まる大きさにして、その横幅を前記上縁部６，６の長さに揃え、縦の長さをこの横幅に合わせるようにして略正方形に形成している。
【００５４】
そして、支持体３の中央部分に縦に前記架橋片８を置き、この架橋片８の略中央部分８ｃの左右の側縁部から上向きに吊設片９，９を延設し、更にこの吊設片９，９のそれぞれの上端部からその外側縁に沿って下向きに掛け止め係止片１０，１０を延設している。
このため、ここでは上記吊設片９，９と係止片１０，１０が上記架橋片８を挟んで左右対称形をなすように配置され、一枚の厚紙の上において一体的に形成され、更に上記掛け止め係止片１０，１０は下端同士を連結片１１で繋いでこの係止片の全体形状がＵ字状をなすようにしている。
【００５５】
その一方、前記中央部の架橋片８の上端部８ａには左右方向に向けて上部固定片１２，１２を延設し、これを前記前後の面部の上縁部６，６に沿って止着し、また下端部８ｂには下部固定片１３を同様に横向きに一体に延設してこれを前後の面部２ａ，２ｂの中央部分に止着して架橋片８はこれら上下の固定片１２，１３の固定によって前後の面部２ａ，２ｂに取り付けてある。
このため、上記取り付けによって架橋片８は、その中間部分を面部２ａ，２ｂの表面から自由に浮き上がることができるものとなっている。
尚、ここでは上記上部固定片１２，１２の左右の端部から下方に向けて袋本体３の側縁部に沿って補強片１４，１４を延設し、上記係止片１０，１０を横から囲むようにしてある。
【００５６】
この様にして、厚紙の中に各片を一体に形成した支持体３は、前記袋本体２の前後の面部２ａ，２ｂの表面に図６にハッチングを付して示した接着位置１５，１６（尚、ハッチングは、その位置を明確にするため、便宜上支持体８の上に重ねて表している。）に一体に接着して取付けられる。
上記接着位置１５は、前記架橋片８の上端部８ａと、左右の上部固定片１２，１２と、左右の補強片１４，１４を含む範囲に亘っており、また他方の接着位置１６は、下部固定片１３に対応するものとなっていて、各支持体３，３は、これらの接着位置に従って前記面部２ａ，２ｂに接着され、取り付けられることになる。
【００５７】
そして、上記支持体３の取付けについて更に詳述すると、図示するように袋本体２の前後の面部２ａ，２ｂに対して上記架橋片８，８は、その上端部８ａ，８ａを上縁部６，６に臨ませ、更にこの上端部から延設する上部固定片１２，１２をこの上縁部６，６に沿わせて一体に止着してあり、その両端から延設する補強片１４，１４をそれぞれの面部の側縁部に沿って止着して取付け、これによって支持体３の全体をそれぞれの面部２ａ，２ｂの上半部分を覆う形で取り付くようにしてある。
【００５８】
この様にして、前後の面部２ａ，２ｂにそれぞれ支持体３，３を取付けた袋本体２は、予め所要量のコーヒー粉末（通常８〜１０ｇ程度の粉末量）を充填し、開口部７を接着する等して封止することになる。
【００５９】
図１、図２及び図７は、この封止状態を説明したものである。ここに示した封止は、図１、図２に示した様に、袋本体２の前後の面部２ａ，２ｂの上縁部６，６に沿って横切るように面同士に圧力を掛けて高周波接合によって一線状に接合するものとしている。これによって接合部１７を形成し、袋本体２の開口部７を閉ざしている。
【００６０】
上記接合部１７について、更に詳述すると、ここでは図示する様に、上下に幅を持たせた細い帯状に形成してあり、その左右両端部を前記拡張襞部５，５に掛かるようにして開口部７の略全幅に亘って封止するようにしてある。
そして、図７の拡大図において示した通り、接合部１７の中にあって上縁部６の中央部分に当たる接合範囲を接合状態が剥離し易い脆弱な接合部１７ａとし、これを挟む左右の接合部分を剥離し難い強固な接合部１７ｂ，１７ｂにして、この線上に並ぶ接合部１７の中に接合強度に差を設けた２つの部分を形成しているのである。
そして更に、この実施の形態では上記強固な接合部１７ｂ，１７ｂを前記拡張襞部５，５の上に掛かる部分に形成し、この襞部を外れた上縁部６の中央部分に脆弱な接合部１７ａが位置するようにしている。
【００６１】
この接合部１７の強弱の差を付けた接合部１７ａ，１７ｂの形成については、当該実施の形態において前述したように高周波接合方法にを利用することによって簡単に実行することができる。
この接合法による場合、上縁部６に沿ってその中央部分と、これに続く左右の拡張襞部５，５に亘る範囲を一連に押圧し、接合すれば、接合される部分の厚みの差から容易に接合強度に差を付けた接合を実現することができる。
ただこの場合、フィルタの厚みや溶融温度、接合機のヒーターの過熱温度、その押圧力、押圧時間等々の選択が求められることになるが、これらの選択は通常の技術者によって容易である。ことに、この種濾過器に使用されるフィルタが肉薄のものであることに加えて、前述の通り、接合する部分が折込みによって四重となった襞部５，５と中央部分の二重の部分とを合わせて同時に接合するものとすれば、ここに生じる厚みの差から自動的に接合強度に差を付けることができるからである。
【００６２】
上記の如く構成された本発明濾過器１は、袋本体２にコーヒー粉末（図示せず）を封入した後、偏平に畳んでアルミ箔等の機密性に優れるフィルム製の包装容器に収納し、保管することになる。
そして、使用に当たっては、包装容器から取り出した後、偏平な状態にある袋本体２の両面部２ａ，２ｂから前後の支持片３，３を掛け止め係止片１０，１０の摘み出しによって引き出し、コーヒーカップ４の口径に合せたところまで伸長させることになる。
尚、ここでは係止片１０，１０を連結片１１によって連結していることから、この連結片１１を摘んで支持体を引き出すことになる。
【００６３】
上記支持体３，３の引き出し作業によって、上記掛け止め係止片１０，１０が引き出されると、これに伴って吊設片９，９の上端部が浮き出し、その全体が引き出されると、これに伴ってその下端部に接続する架橋片８が引き出されることになる。
架橋片８は、上記吊設片９，９の下端部を長さの中間部分８ｃに当る左右の側縁部に接続することから、上記引っ張りによって先ずこの中間部分８ｃを引き出すことになり、この部分を浮き上げることになる。そして、この引き出しによる浮き上がりの動作に続けて前記上端部８ａと下端部８ｂとを引き出すことになる。
【００６４】
図４は、この時の状態を示している。この様にして、架橋片８の上端部８ａが吊設片９，９の引き出しに連動して引き出されると、これが止着する袋本体２の上縁部６に直接的にこの引き出しの力が作用することになり、これに伴いこの力が開口部７の前後から働くことになり、前記接合部８の剥離に作用して開口部７を開放することになる。
【００６５】
この開口部７の開放に当たって、前記架橋片８は上端部８ａを袋本体２の上縁部６の中央部分に止着固定していることから、架橋片８が引き出されることによってこの中間部分に力が集中し、最初にこの部分を引き出すことになる。この結果、上記中間部分に設けられる前記脆弱な接合部１７ａに力が作用することになり、該部分を剥離することになるのである。
【００６６】
図８は、この脆弱接合部１７ａの剥離によって開口部７の一部、正確にはその中央部分が開放した状態を示したものである。
尚、前述した様に、上記脆弱接合部１７ａは、小さな力で簡単に剥離することから架橋片８の集中した引っ張りを受けることによって簡単に剥離し、ここに開放の切っ掛けを作ることになる。
【００６７】
この開放の切っ掛けは、図示した様に脆弱接合部１７ａの全体に及ぶことになり、この部分の全体を開放することになる。
そして更に、架橋片８に対する引っ張りが続くと、上記剥離した接合部１７ａに隣接した強固な接合部１７ｂ，１７ｂの一端に引き剥がしの力が集中し、作用することになり、この結果、この強固な接合部１７ｂの一端から引き剥がしが始まってこれを契機にこの接合部１７ｂの全体に剥離が進行して開口部７を全開状態に開封することになる。
【００６８】
図９は、襞部５，５に掛けて設けられる上記強固な接合部１７ｂが剥がされて開口部７の全体に開封が進行し、完全開口した状態を表している。
【００６９】
この支持片３，３の引き出しによる開口部７の開封に当たって、支持片３，３の引っ張りを架橋片８，８を介して前後の面部２ａ，２ｂの上縁部６，６、特にその中央部分に集中させてここに設けられる脆弱な接合部１７ａに作用する構造にしたことによって、本発明の濾過器１では、小さな引っ張り力であってもこの力をこの中央部分に集中させられることにより充分引き剥がしに利用できものとなっており、また同時に、この部分に脆弱な接合部１７ｂを設けたことによって最初の小さな引き剥がしによって簡単に剥離を開始させることができ、この部分の開封を可能にしている。
【００７０】
そして、本発明では、上記脆弱な接合部１７ａに続けて強固な接合部１７ｂ，１７ｂを設ける構造にしていることから、脆弱な接合部１７ａの開封を切っ掛けにしてこの強固な接合部１７ｂ，１７ｂの開封を簡単に誘導することができるものとなっているのである。この結果、開口部７を容易に、しかも円滑に開封することができると同時に、この様な開封が実現することから、開口部７の急激な開封、つまり開口部７の全体を一遍に開封するような開封を防止することができるものとなっているのである。
従って、この様なことから、急激な開封によって生じる袋本体２の底部の跳ね上がりや、空気の急激な侵入による巻き上げ等を解消することができ、開封時の被抽出物の飛び出し、吹き上がりを未然に解消することができるのである。
【００７１】
ところで、架橋片８の上端部８ａから延設して前記上縁部６，６に沿って止着した上部固定片１２，１２は、架橋片８が引き出されて最初にこの上縁部６の中央部分に引き出しの力が作用したとき、続けて左右の端部に、つまり強固な接合部１７ｂ，１７ｂに連動して作用させ、開封を誘導するものとして機能させるべく設けたものになっており、補強の機能の外に兼用するものとなっている。
【００７２】
また、この補助的機能に併せてこの上部固定片１２，１２は、前記接合部１７に被せて止着しているが、これは架橋片８の引っ張りの力を接合部１７の全体に亘って直接的に作用するようにしたもので、作用する力のロスを抑制することになる。
【００７３】
さて、本発明の濾過器１は、前後の支持体３，３を引き出し、開口部７の接合部１７をその中央部分から開いて順次左右の襞部５，５に亘って剥離開封し、図３に示した様にその全体が開放される状態になったところで、この支持体３，３を更に引き伸ばし、コーヒーカップ４の縁に達したところで前記係止片１０，１０を掛け止めてセットを完了することになる。
図５は、このセット完了状態を示すもので、開放した開口部７から湯の注ぎ込みが行われることになる。
【００７４】
以上説明した様に、本発明の濾過器１は、支持体３の引き出しによって、コーヒー粉末等の被抽出物を内包する袋本体２の開口部７を、これを封止する接合部１７を剥離することによって開封する際に、上記接合部の中央部分から次第に開封させて急激な開封を抑えるものとしたことから、急激な開放による被抽出物の飛び出し、飛散を有効に防止することができる。  
【００７５】
ところで、開口部７の接合部１７について、前記実施の形態では縦幅を狭くした帯状の接合部としたが、これは接合部全体の接合面積を広くして、接着力を落とし、全体として所要の接着力を確保して接合の安定化を図ったものであり、この接合部１７の接合面積は選択する接合方法に合せて任意選択すればよい。
【００７６】
また、この外、この接合部１７については、前後の面部２ａ，２ｂの上縁部６に沿って
近接した位置に設けられるのが開封時の支持片３，３の引き出しの力を受け易くすることから有利であり、開封が円滑に、且つ容易になる。そして、このとき接合部は直線状に連続して、そして、開口部７の略全幅に亘って形成されることが望まれるが、被抽出物が漏れ出さない限りにおいては不連続状態に、つまり破線状に形成するものであってもよい。
この場合、上記破線状をなす接合部は、脆弱な接合部１７ａと強固な接合部１７ｂに亘って形成されることを妨げるものではない。
【００７７】
以上、本発明の濾過器をコーヒーの濾過器について説明したが、この濾過器は被抽出物としてコーヒーが選択される他、紅茶や緑茶などの茶葉や、だし等の濾過器としても利用することができることは言うまでもなく、これらは本発明の実施の対象である。
【符号の説明】
【００７８】
１            本発明に係る簡易型濾過器
２            袋本体
２ａ，２ｂ    袋本体を形成する前後の面部
３            支持体
４            容器となるコーヒーカップ
５            袋本体の側部に設けた拡張襞部
６            袋本体の前後の面部の上縁部
７            袋本体の開口部
８            支持体の架橋片
８ａ          架橋片の上端部
８ｂ          架橋片の下端部
８ｃ          架橋片の長さの中間部分
９            支持体の吊設片
１０          支持体の掛け止め係止片  
１１          掛け止め係止片の先端部同士を繋ぐ連結片
１２          架橋片の上縁部から左右に延設した上部固定片
１３          架橋片の下端部に設けた下部固定片
１４          補強片
１５，１６    袋本体の前後の面部に対して支持片を止着固定する止着範囲
１７          開口部を封止する接合部
１７ａ        接合部の中の脆弱な接合部
１７ｂ        接合部の中の強固な接合部
１８          袋本体の胴部
【図１】
2015205055.tif 000003
【図２】
2015205055.tif 000004
【図３】
2015205055.tif 000005
【図４】
2015205055.tif 000006
【図５】
2015205055.tif 000007
【図６】
2015205055.tif 000008
【図７】
2015205055.tif 000009
【図８】
2015205055.tif 000010
【図９】
2015205055.tif 000011